(57)【特許請求の範囲】
【請求項１】
開口の周りを取り囲む縁部をもつ容器本体と、
前記縁部に沿って当該縁部に取り付けられた枠材、及び、前記枠材に枢動可能に接続され前記開口を開閉するカバー材を有する蓋体と、
を備え、
前記枠材及び前記カバー材のうちの一方に、間隔を空けて位置する一対の板状片が設けられ、
各板状片は、当該板状片の長手方向に沿った両端の間となる位置で前記枠材または前記カバー材に接続され、且つ、当該板状片の長手方向に沿った一端に係止要素を含み、
前記枠材及び前記カバー材のうちの他方に、前記板状片の前記係止要素と係合して前記カバー材を前記開口を覆う位置に係止する被係止体が設けられ、
前記被係止体は、前記一対の板状片を結ぶ方向に沿って前記一対の板状片の間となる内側から、あるいは、前記一対の板状片を結ぶ方向に沿った前記一対の板状片の外側から、各板状片と係合する、ヒンジ式容器。
【請求項２】
前記板状片は、前記カバー材で前記開口を覆った状態で、前記枠材と前記カバー材とが重なる範囲に設けられている、請求項１に記載のヒンジ式容器。
【請求項３】
前記被係止体は、前記枠材または前記カバー材から延び出し、各々に対応する板状片の係止要素に係合する一対の被係止片を含む、請求項１または２に記載のヒンジ式容器。
【請求項４】
前記枠材及び前記カバー材のうちの前記他方に、前記カバー材で前記開口を覆った状態で各々に対応する前記板状片が挿入される一対の挿入孔が形成されていて、
前記枠材または前記カバー材のうちの前記一対の挿入孔の間となる部分が、前記被係止体を画定する、請求項１または２に記載のヒンジ式容器。
【請求項５】
前記カバー材は、前記枠材が枢動可能に接続された基端縁と、前記基端縁に対向して位置する先端縁と、前記基端縁の端部と前記先端縁の端部との間を延びる一対の側縁と、を有し、
前記一対の板状片は、前記カバー材のうちの前記基端縁よりも前記先端縁に近接した位置に設けられ、且つ、前記一対の側縁の対向する方向に間隔を空けて対向する、請求項１乃至４のいずれか一項に記載のヒンジ式容器。
【請求項６】
前記カバー材は、前記枠材が枢動可能に接続された基端縁と、前記基端縁に対向して位置する先端縁と、を有し、
前記一対の板状片は、前記カバー材のうちの前記基端縁よりも前記先端縁に近接した位置に設けられ、且つ、前記基端縁と前記先端縁とが対向する方向に間隔を空けて対向する、請求項１乃至４のいずれか一項に記載のヒンジ式容器。
【請求項７】
各板状片の係止要素は、当該板状片の他の部分から他の板状片側に向かって突出した爪部分からなり、
前記被係止体は、前記一対の板状片の間となる内側から、各板状片の前記係止要素に係止する、請求項１乃至６のいずれか一項に記載のヒンジ式容器。
【請求項８】
開口の周りを取り囲む縁部をもつ容器本体の当該縁部に取り付けられ当該容器本体と共にヒンジ式容器を構成するヒンジ式容器用の蓋体であって、
前記容器本体の前記縁部に沿って当該縁部に取り付けられる枠材、及び、前記枠材に枢動可能に接続され前記開口を開閉するカバー材を有する蓋体と、
を備え、
前記枠材及び前記カバー材のうちの一方に、間隔を空けて位置する一対の板状片が設けられ、
各板状片は、当該板状片の長手方向に沿った両端の間となる位置で前記枠材または前記カバー材に接続され、且つ、当該板状片の長手方向に沿った一端に係止要素を含み、
前記枠材及び前記カバー材のうちの他方に、前記板状片の前記係止要素と係合して前記カバー材を前記開口を覆う位置に係止する被係止体が設けられ、
前記被係止体は、前記一対の板状片を結ぶ方向に沿って前記一対の板状片の間となる内側から、あるいは、前記一対の板状片を結ぶ方向に沿った前記一対の板状片の外側から、各板状片と係合する、ヒンジ式容器用の蓋体。
【発明の詳細な説明】
【技術分野】
【０００１】
本発明は、小児が製品を誤飲することを防止する機能を持つヒンジ式容器に関する。
【背景技術】
【０００２】
例えば、特許文献１乃至３に記載されているように、内容物を収容するための容器として、ヒンジ式容器が利用に供されている。典型的なヒンジ式容器は、内容物を収容する容器本体の開口を、ヒンジ式の蓋で開閉する構造をもつ。このようなヒンジ式容器は、開閉が容易で利便性に優れるため種々の商品を収容する用途に利用されている。ヒンジ式容器に収容される内容物の一例として、食品用の固形物、薬剤あるいは非食用のゲル状投与物が挙げられる。
【先行技術文献】
【特許文献】
【０００３】
【特許文献１】特開２０１２−５１６８１９号公報
【特許文献２】特開２０１３−１１２３６９号公報
【特許文献３】特許第５０８７３５７号
【発明の概要】
【発明が解決しようとする課題】
【０００４】
ヒンジ式容器に収容される内容物によっては、色や匂いによって小児が惹き付けられ商品を誤って口にしてしまうおそれが高い。この点、特許文献１乃至３に記載のヒンジ式容器では、小児の誤飲を防止するための工夫がなされている。しかしながら、特許文献１乃至３に記載のヒンジ式容器では、ヒンジによる開閉の容易さから得られる実用性を維持した上で誤飲防止機能を十分に確保しているとは未だいえない。
【０００５】
本発明は、このような点を鑑みてなされたものであって、小児が製品を誤飲することを防止する機能を持つヒンジ式容器を実用的な態様で実現することを目的とする。
【課題を解決するための手段】
【０００６】
本発明による第１のヒンジ式容器は、開口の周りを取り囲む縁部をもつ容器本体と、
前記縁部に沿って当該縁部に取り付けられた枠材、及び、前記枠材に枢動可能に接続され前記開口を開閉するカバー材を有する蓋体と、を備え、
前記枠材及び前記カバー材のうちの一方に、間隔を空けて位置する一対の板状片が設けられ、
各板状片は、当該板状片の長手方向に沿った両端の間となる位置で前記枠材または前記カバー材に接続され、且つ、当該板状片の長手方向に沿った一端に係止要素を含み、
前記枠材及び前記カバー材のうちの他方に、前記板状片の前記係止要素と係合して前記カバー材を前記開口を覆う位置に係止する被係止体が設けられ、
前記被係止体は、前記一対の板状片を結ぶ方向に沿って前記一対の板状片の間となる内側から、あるいは、前記一対の板状片を結ぶ方向に沿った前記一対の板状片の外側から、各板状片と係合する。
【０００７】
本発明による第１のヒンジ式容器において、前記板状片は、前記カバー材で前記開口を覆った状態で、前記枠材と前記カバー材とが重なる範囲に設けられていてもよい。
【０００８】
本発明による第１のヒンジ式容器において、前記被係止体は、前記枠材または前記カバー材から延び出し、各々に対応する板状片の係止要素に係合する一対の被係止片を含んでもよい。
【０００９】
本発明による第１のヒンジ式容器において、前記枠材及び前記カバー材のうちの前記他方に、前記カバー材で前記開口を覆った状態で各々に対応する前記板状片が挿入される一対の挿入孔が形成されていて、前記枠材または前記カバー材のうちの前記一対の挿入孔の間となる部分が、前記被係止体を画定してもよい。
【００１０】
本発明による第１のヒンジ式容器において、前記カバー材は、前記枠材が枢動可能に接続された基端縁と、前記基端縁に対向して位置する先端縁と、前記基端縁の端部と前記先端縁の端部との間を延びる一対の側縁と、を有し、前記一対の板状片は、前記カバー材のうちの前記基端縁よりも前記先端縁に近接した位置に設けられ、且つ、前記一対の側縁の対向する方向に間隔を空けて対向してもよい。
【００１１】
本発明による第１のヒンジ式容器において、前記カバー材は、前記枠材が枢動可能に接続された基端縁と、前記基端縁に対向して位置する先端縁と、を有し、前記一対の板状片は、前記カバー材のうちの前記基端縁よりも前記先端縁に近接した位置に設けられ、且つ、前記基端縁と前記先端縁とが対向する方向に間隔を空けて対向してもよい。
【００１２】
本発明による第１のヒンジ式容器において、各板状片の係止要素は、当該板状片の他の部分から他の板状片側に向かって突出した爪部分からなり、前記被係止体は、前記一対の板状片の間となる内側から、各板状片の前記係止要素に係止してもよい。
【００１３】
本発明による第２のヒンジ式容器は、開口が形成された容器本体と、前記容器本体に枢動可能に接続され前記開口を開閉する蓋体と、を備え、
前記容器本体及び前記蓋体のうちの一方に、間隔を空けて位置する一対の板状片が設けられ、
各板状片は、当該板状片の長手方向に沿った両端の間となる位置で前記容器本体または前記蓋体に接続され、且つ、当該板状片の長手方向に沿った一端に係止要素を含み、
前記容器本体及び前記蓋体のうちの他方に、前記板状片の前記係止要素と係合して前記蓋体を前記開口を覆う位置に係止する被係止体が設けられ、
前記被係止体は、前記一対の板状片を結ぶ方向に沿って前記一対の板状片の間となる内側から、あるいは、前記一対の板状片を結ぶ方向に沿った前記一対の板状片の外側から、各板状片と係合する。
【００１４】
本発明によるヒンジ式容器用の蓋体は、開口の周りを取り囲む縁部をもつ容器本体の当該縁部に取り付けられ当該容器本体と共にヒンジ式容器を構成するヒンジ式容器用の蓋体であって、
前記容器本体の前記縁部に沿って当該縁部に取り付けられた枠材、及び、前記枠材に枢動可能に接続され前記開口を開閉するカバー材を有する蓋体と、を備え、
前記枠材及び前記カバー材のうちの一方に、間隔を空けて位置する一対の板状片が設けられ、
各板状片は、当該板状片の長手方向に沿った中間部で前記枠材または前記カバー材に接続され、且つ、当該板状片の長手方向に沿った一端に係止要素を含み、
前記枠材及び前記カバー材のうちの他方に、前記板状片の前記係止要素と係合して前記カバー材を前記開口を覆う位置に係止する被係止体が設けられ、
前記被係止体は、前記一対の板状片を結ぶ方向に沿って前記一対の板状片の間となる内側から、あるいは、前記一対の板状片を結ぶ方向に沿った前記一対の板状片の外側から、各板状片と係合する。
【発明の効果】
【００１５】
本発明によれば、被係止体が各板状片の一端に位置する係止要素に一対の板状片の内側から係合する場合、一対の板状片の他端同士を互いに接近させるように摘まむと、一対の板状片の係止要素が互いから離間するように変位して被係止体から離れる。これにより、カバー材の枠材への係止を解除することができる。また、被係止体が各板状片の係止要素に一対の板状片の外側から係止する場合、一対の板状片の他端同士を互いから離間するように押し広げると、一対の板状片の係止要素が互いに接近するように変位して被係止体から離れる。これにより、カバー材の枠材への係止を解除することができる。
すなわち、カバー材を開けて内容物を取り出すためには、一対の板状片の他端同士を摘まむか押し広げる必要があるため、小児は容易に内容物を取り出すことができない。その一方で、成人は優れた操作性で内容物を取り出すことができる。これらの結果、小児が製品を誤飲することを防止するヒンジ式容器が実用的な態様で実現される。
【図面の簡単な説明】
【００１６】
【図１】第１の実施の形態によるヒンジ式容器を示す斜視図。
【図２】図１に示すヒンジ式容器の分解斜視図。
【図３】図１に示すヒンジ式容器を構成する蓋体を示す平面図。
【図４】図２に示すヒンジ式容器の要部を拡大して示す斜視図。
【図５】図４に示す線Ｖ−Ｖに沿ったヒンジ式容器の断面を示す断面図。
【図６】図５に示す状態から板状片を摘まんだ状態を示す断面図。
【図７】ヒンジ式容器の変形例を示す断面図。
【図８】第２の実施の形態によるヒンジ式容器を示す分解斜視図。
【図９】図８に示すヒンジ式容器の要部を拡大して示す斜視図。
【図１０】図９に示す線Ｘ−Ｘに沿ったヒンジ式容器の断面を示す断面図。
【図１１】図１０に示す状態から板状片を摘まんだ状態を示す断面図。
【図１２】第２の実施の形態によるヒンジ式容器を示す斜視図。
【発明を実施するための形態】
【００１７】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１８】
≪第１の実施の形態≫
図１乃至図１１は、本発明による第１の実施の形態を説明するための図である。このうち図１及び図２は、それぞれ、第１の実施の形態によるヒンジ式容器１を示す斜視図及び分解斜視図である。
【００１９】
図１及び図２に示すヒンジ式容器１は、内容物を収容する容器本体２と、容器本体２に取り付けられたヒンジ式の蓋体３と、を有する。図１及び図２に示すヒンジ式容器１は、開閉が容易で利便性に優れ、種々の商品を収容することが意図されている。ヒンジ式容器に収容される内容物の一例として、食品用の固形物、薬剤あるいは非食用のゲル状投与物等が挙げられる。
【００２０】
図２に示すように、容器本体２は、底部１１と、底部１１に接続された胴部１２と、を有している。底部１１は、ヒンジ式容器１を載置面に置いたときにヒンジ式容器１の載置面に接触する部分を構成する。胴部１２は、底部１１の周縁に接続され底部１１の上方を環状に取り囲んでいる。底部１１と胴部１２とによって規定される空間内に、内容物を収容する収容空間Ｓが規定されている。
【００２１】
胴部１２の底部１１と接続された端部とは反対側となる端部に、胴部１２から張り出した縁部１３が接続されている。縁部１３は、蓋体３が取り付けられる部分である。縁部１３は環状に形成され、当該縁部１３に囲まれる領域内に開口１０ａが規定されている。開口１０ａを介して容器本体２内の収容空間Ｓから内容物が出し入れされるようになっている。
【００２２】
次に、容器本体２に取り付けられる蓋体３について説明する。図２に示すように、容器本体２の縁部１３に沿って当該縁部１３に取り付けられた枠材２０と、枠材２０に枢動可能に接続され、容器本体２の開口１０ａを開閉するカバー材３０と、を有している。
【００２３】
先ず、図３を参照して枠材２０について説明する。図３は、蓋体３を広げた状態で示す平面図である。図３に示すように、枠材２０は、矩形の輪郭に沿って形成され、内縁２０ａと外縁２０ｂとの間に一定の幅を持つ枠である。図３に示す枠材２０は、カバー材３０が枢着された基端枠２１と、基端枠２１に対向して位置する先端枠２２と、基端枠２１及び先端枠２２の端部の間を延び、互いに対向する一対の側枠２３、２４と、を有している。基端枠２１、先端枠２２及び一対の側枠２３、２４に囲まれる空間に、開口２５が形成されている。開口２５は、容器本体２の縁部１３に枠材２０を取り付けた状態で、容器本体２の開口１０ａと重なり、当該開口１０ａを露出させる。
【００２４】
また、枠材２０は、当該枠材２０の輪郭に沿って間隔を空けて配置された複数の取付爪２６を有している。取付爪２６は、容器本体２の縁部１３の裏側に回り込んで引っかけられ、これにより、蓋体３を容器本体２に取り付けるようになっている。
【００２５】
一方、カバー材３０は、枠材２０と略同様な矩形の輪郭をもつ部材である。カバー材３０は、容器本体２の開口１０ａを開閉し、内容物の出し入れを可能にする。図３に示すカバー材３０は、枠材２０が枢着された基端縁３１と、基端縁３１に対向して位置する先端縁３２と、基端縁３１及び先端縁３２の端部の間を延び、互いに対向する一対の側縁３３、３４と、を有している。なお、ここでいう「矩形」とは、角が尖った長方形だけでなく、角が丸みを帯びた概ね長方形状の形状も含む概念である。
【００２６】
とりわけ、図３に示す例では、基端枠２１と基端縁３１が複数のヒンジ片４１を介して接続されている。ヒンジ片４１は、枠材２０及びカバー材３０よりも薄肉化されて変形自在となっている。ヒンジ片４１が基端枠２１と基端縁３１との間で変形することにより、カバー材３０が枠材２０に対して枢動（旋回、揺動）することが可能となっている。
【００２７】
また、カバー材３０の先端縁３２の一部が他の部分よりも膨らんで摘まみ部分３５を規定している。他の部分よりも膨らんだ摘まみ部分３５を指で摘まむことで、負担のない楽な姿勢でカバー材３０を枠材２０に対して旋回させることができる。
【００２８】
さて、このようなヒンジ式容器１は、開閉の容易さから実用性に優れる一方で、小児が内容物を容易に取り出して誤って口にしてしまうおそれを内在する。そこで、本実施の形態によるヒンジ式容器１では、小児の誤飲を防止するための工夫を施している。
【００２９】
図４に、ヒンジ式容器１の要部を拡大して示し、図５に、カバー材３０を枠材２０にロックした状態を断面図として示す。図４及び図５に示すように、カバー材３０に、間隔を空けて対向する一対の板状片５０が設けられ、枠材２０に、板状片５０に係止する被係止体６０が設けられている。カバー材３０で容器本体２の開口１０ａを覆った状態つまりカバー材３０を閉じた状態で、板状片５０が被係止体６０に係止することにより、カバー材３０を枠材２０にロック（係止）することが可能となる。
【００３０】
板状片５０は、カバー材３０に支持された可撓性をもつ板状の部材であり、指の操作で撓み得る程度の剛性を付与されている。一対の板状片５０は、先端縁３２の長手方向に間隔を空けて対向している。言い換えると、一対の板状片５０は、一対の側縁３３、３４が対向する方向に間隔を空けて対向している。ここで、一対の板状片５０を結ぶ方向をｃｄと呼ぶ。本実施の形態では、一対の板状片５０を結ぶ方向ｃｄは、板状片５０の長手方向ｌｄと直交している。
【００３１】
図４に示す例では、一対の板状片５０は、カバー材３０のうちの基端縁３１よりも先端縁３２に近接した位置に設けられている。さらにいえば、板状片５０は、カバー材３０を閉じた状態で、枠材２０とカバー材３０とが重なる範囲ＯＬに設けられている（図３参照）。
【００３２】
図５に示すように、各板状片５０は、長手方向ｌｄに沿った両端の間となる位置でカバー材３０に接続されている。本実施の形態において、各板状片５０は、当該板状片５０の長手方向ｌｄに沿った一端に位置する係止要素５１と、当該板状片５０の長手方向ｌｄに沿った他端に位置する操作要素５２と、係止要素５１と操作要素５２との間を延び、カバー材３０に接続された本体部分５３と、を含む。図４及び図５に示すように、カバー材３０を閉じた状態において、係止要素５１はカバー材３０の内面側に位置し、操作要素５２はカバー材３０の外面側に位置している。すなわち、係止要素５１はヒンジ式容器１の内側に位置し、操作要素５２はヒンジ式容器１の外側に位置する。
【００３３】
図５から理解されるように、係止要素５１は、カバー材３０を閉じた状態で、被係止体６０に係止される部分である。本実施の形態において、各板状片５０の係止要素５１は、当該板状片５０の本体部分５３から、一対の板状片５０を結ぶ方向ｃｄに沿って他の板状片５０側に向かって突出した爪要素として構成されている。すなわち、爪要素としての係止要素５１は、当該板状片５０の本体部分５３から、前記結ぶ方向ｃｄに沿って一対の板状片５０の間となる内側に向かって突出している。
【００３４】
操作要素５２は、係止要素５１を被係止体６０から離間させるべく、操作者の指で操作される部分である。本実施の形態において、各板状片５０の操作要素５２は、指になじむ形状に成形され、当該板状片５０の本体部分５３から前記結ぶ方向ｃｄに沿った一対の板状片５０の外側に向かって突出している。
【００３５】
本体部分５３は、板状片５０の長手方向ｌｄに沿った板状の部分であり、その中間位置においてカバー材３０に接続されている。本実施の形態では、本体部分５３は、前記結ぶ方向ｃｄにおける外側でカバー材３０に接続されている。板状片５０が本体部分５３の中間位置においてカバー材３０に接続されることで、係止要素５１及び操作要素５２がカバー材３０に片持ちに支持されることになる。
【００３６】
すなわち、係止要素５１及び操作要素５２が片持ちに支持されることで、操作要素５２を指で操作して板状片５０を撓ませると、その操作に連動して係止要素５１を変位させることが可能となる。とりわけ、本実施の形態では、一対の板状片５０の操作要素５２同士を互いに接近させるように摘まむと、一対の板状片５０の係止要素５１が互いから離間するように変位するようになっている。
【００３７】
このような板状片５０は、種々の態様でカバー材３０に接続させることができる。例えば、板状片５０をカバー材３０とは別個の部品として成形し、互いに接合させてもよいし、板状片５０とカバー材３０とを例えばインジェクション成形によって一体に成形してもよい。本実施の形態において、板状片５０は、カバー材３０、さらには枠材２０及び被係止体６０とも一体として成形されている。
【００３８】
ただし、板状片５０をカバー材３０と一体として成形するためには、係止要素５１を成形するための型を出し入れするための空間を必要とする。そこで、本実施の形態では、カバー材３０のうちの板状片５０の周りに、型抜孔３８が設けられている。図４及び図５に示す例では、型抜孔３８は、カバー材３０のうち、係止要素５１と板状片５０の長手方向ｌｄに重なる位置に設けられている。
【００３９】
このような各板状片５０は、被係止体６０によって係止される。被係止体６０は、一対の板状片５０に対応した枠材２０上の位置に設けられる。上述のように、一対の板状片５０は、カバー材３０のうちの先端縁３２に近接した位置に設けられているため、これに対応して、被係止体６０は、枠材２０の先端枠２２に設けられている。さらにいえば、被係止体６０も、カバー材３０を閉じた状態で、枠材２０とカバー材３０とが重なる範囲ＯＬに設けられている（図３参照）。
【００４０】
図４及び図５に示すように、本実施の形態の被係止体６０は、枠材２０から延び出し、各々に対応する板状片５０の係止要素５１に係合する一対の被係止片６１を含んでいる。各被係止片６１は、枠材２０からカバー材３０側、すなわち容器本体２の縁部１３から離間する側に延び出している。また、一対の被係止片６１は、一対の板状片５０を結ぶ方向ｃｄに沿って間隔を空けて配置されている。
【００４１】
とりわけ、本実施の形態において、一対の被係止片６１は、カバー材３０を閉じた状態で一対の板状片５０の間となる位置に位置する。この場合、各被係止片６１は、対応する板状片５０の係止要素５１に、一対の板状片５０を結ぶ方向ｃｄに沿った内側から係止することになる。
【００４２】
各被係止片６１は、各々に対応する板状片５０の係止要素５１に係合する被係止要素６２と、枠材２０から各々に対応する被係止要素６２まで延びる延出部分６３と、を含んでいる。
【００４３】
被係止要素６２は、カバー材３０を閉じた状態で、係止要素５１に係止される部分である。本実施の形態において、各被係止片６１の被係止要素６２は、当該被係止体６０の延出部分６３から前記結ぶ方向ｃｄに沿って他の被係止片６１とは反対側に向かって突出した爪部分として構成されている。
【００４４】
延出部分６３は、板状片５０の係止要素５１が被係止要素６２にアクセスする経路を確保するべく、被係止要素６２を枠材２０から離間した位置で支持するよう構成されている。
【００４５】
このような被係止体６０は、種々の態様で枠材２０に接続させることができる。例えば、被係止体６０を枠材２０とは別個の部品として成形し、互いに接合させてもよいし、被係止体６０と枠材２０とを例えばインジェクション成形によって一体に成形してもよい。上述のように、本実施の形態の被係止体６０は、枠材２０、さらにはカバー材３０及び板状片５０とも一体として成形されている。
【００４６】
ただし、被係止体６０を枠材２０と一体として成形するためには、被係止要素６２を成形するための型を出し入れするための空間を必要とする。そこで、本実施の形態では、枠材２０のうちの被係止片６１の周りに、型抜孔２８が設けられている。図４及び図５に示す例では、型抜孔２８は、枠材２０の先端枠２２のうち、延出部分６３と被係止片６１の長手方向に重なる位置に設けられている。
【００４７】
また、図４及び図５に示すように、枠材２０の先端枠２２に、他の部分よりも突出した一対の凸部２９が設けられ、カバー材３０に、この一対の凸部２９を収容する凹部３９が設けられている。カバー材３０を閉じる際に、枠材２０の一対の凸部２９がカバー材３０の凹部３９に収容されることにより、枠材２０とカバー材３０との位置合わせを容易に行うことが可能となる。
【００４８】
図４及び図５に示す例では、枠材２０に設けられた一対の凸部２９の間に、一対の被係止片６１が配置されている。その一方で、カバー材３０に設けられた凹部３９は、一対の板状片５０が配置された領域を含んで形成されている。すなわち、一対の板状片５０は、カバー材３０のうちの凹部３９内に設けられており、カバー材３０のうちの他の部分よりも枠材２０から離間するように凹んだ位置から延び出している。
【００４９】
次に、以上のような構成からなるヒンジ式容器１の使用方法について説明する。
【００５０】
先ず、図１に示すカバー材３０を開いた状態から、カバー材３０を枠材２０に対して旋回させて開口１０ａに近づける。図５から理解されるように、カバー材３０が開口１０ａに接近すると、枠材２０の先端枠２２に設けられた一対の凸部２９がカバー材３０の凹部３９内に進入して枠材２０とカバー材３０との相対位置が補正される。その後、さらにカバー材３０を旋回させて開口１０ａを閉じる位置まで到達すると、カバー材３０の一対の板状片５０の係止要素５１が枠材２０の一対の被係止要素６２の下に回り込んで、一対の板状片５０が被係止体６０にロックされる。
【００５１】
図６は、カバー材３０を開く操作を説明するための図である。図６に示すように、カバー材３０を開く際には、カバー材３０の一対の板状片５０の操作要素５２同士を互いに接近させるように摘まむ。これにより、一対の板状片５０の係止要素５１が互いから離間するように変位して被係止体６０から離れる。これにより、カバー材３０の枠材２０への係止が解除され、カバー材３０を枠材２０に対して旋回させることが可能となる。
【００５２】
以上のように、本実施の形態によれば、開口１０ａの周りを取り囲む縁部１３をもつ容器本体２と、縁部１３に沿って当該縁部１３に取り付けられた枠材２０、及び、枠材２０に枢動可能に接続され開口１０ａを開閉するカバー材３０を有する蓋体３と、を備え、枠材２０及びカバー材３０のうちの一方に、間隔を空けて位置する一対の板状片５０が設けられ、各板状片５０は、当該板状片５０の長手方向ｌｄに沿った両端の間となる位置で枠材２０またはカバー材３０に接続され、且つ、当該板状片５０の長手方向ｌｄに沿った一端に係止要素５１を含み、枠材２０及びカバー材３０のうちの他方に、板状片５０の係止要素５１と係合してカバー材３０を開口１０ａを覆う位置に係止する被係止体６０が設けられ、被係止体６０は、一対の板状片５０を結ぶ方向に沿って一対の板状片５０の間となる内側から、あるいは、一対の板状片５０を結ぶ方向に沿った一対の板状片５０の外側から、各板状片５０と係合する。
【００５３】
このような形態によれば、被係止体６０が、各板状片５０の係止要素５１に一対の板状片５０の内側から係合する場合、一対の板状片５０の他端５２同士を互いに接近させるように摘まむと、一対の板状片５０の係止要素５１が互いから離間するように変位して被係止体６０から離れる。これにより、カバー材３０の枠材２０への係止を解除することができる。すなわち、カバー材３０を開けて内容物を取り出すためには、一対の板状片５０の他端同士を摘まむ必要があるため、小児は容易に内容物を取り出すことができない。その一方で、成人は優れた操作性で内容物を取り出すことができる。これらの結果、小児が製品を誤飲することを防止する機能を持つヒンジ式容器１が実用的な態様で実現される。
【００５４】
また、本実施の形態によれば、板状片５０は、カバー材３０で開口１０ａを覆った状態で、枠材２０とカバー材３０とが重なる範囲ＯＬに設けられている。このことは、板状片５０及び被係止体６０の設置スペースを有効に活用することに寄与する。
【００５５】
また。本実施の形態によれば、被係止体６０は、枠材２０またはカバー材３０から延び出し、各々に対応する板状片５０の係止要素５１に係合する一対の被係止片６１を含む。このような形態によれば、被係止片６１がカバー材３０から延び出しているため、板状片５０の係止要素５１が被係止片６１にアクセスする経路を容易に確保し易くなる。
【００５６】
また、本実施の形態によれば、各板状片５０の係止要素５１は、当該板状片５０の他の部分から他の板状片５０側に向かって突出した爪部分からなり、被係止体６０は、一対の板状片５０の間となる内側から、各板状片５０の係止要素５１に係止する。この場合、小児が製品を誤飲することを防止する機能を持つヒンジ式容器１が実用性に優れた態様で実現され得る。
【００５７】
また、本実施の形態によれば、カバー材３０は、カバー材３０が枢動可能に接続された基端縁３１と、基端縁３１に対向して位置する先端縁３２と、基端縁３１の端部と先端縁３２の端部との間を延びる一対の側縁３３、３４と、を有し、一対の板状片５０は、カバー材３０のうちの基端縁３１よりも先端縁３２に近接した位置に設けられている。先端縁３２は基端縁３１よりも旋回動作時の動く範囲が大きいため、一対の板状片５０が先端縁３２に近接した位置に設けられている場合、一対の板状片５０を被係止体６０に安定して係合させ易くなる。
【００５８】
とりわけ、本実施の形態によれば、一対の板状片５０は、一対の側縁３３、３４の対向する方向に間隔を空けて対向している。この場合、一対の板状片５０を指で操作した状態から、カバー材３０を開ける操作へと続けて移行し易い。すなわち、このような形態によれば、カバー材３０を開ける操作を容易に行うことができる。
【００５９】
ここで、小児が製品を誤飲することを防止する機能と、カバー材３０を開ける操作の作業性と、の両立の観点から、一対の板状片５０の間隔ｄが５０ｍｍ以上８０ｍｍ以下の範囲にあることが好ましいことが知見された。平均的な成人にとっては、自身の人差指と親指との間の間隔から、一対の板状片５０の間隔ｄが８０ｍｍ以下の場合、一対の板状片５０を摘まみ易くなる。その一方で、チャイルドレジスタンス（ＣＲ）機能が意図する小児にとっては、自身の人差指と親指との間の間隔から、一対の板状片５０の間隔ｄが５０ｍｍ以上となると、摘まみ難くなる。したがって、一対の板状片５０の間隔ｄが５０ｍｍ以上８０ｍｍ以下の範囲にある場合、小児にとってカバー材３０を開け難くする一方で、成人にとっては容易に開けやすいヒンジ式容器１が実現されることとなる。
【００６０】
また、本実施の形態によれば、開口１０ａの周りを取り囲む縁部１３をもつ容器本体２の当該縁部１３に取り付けられ当該容器本体２と共にヒンジ式容器１を構成するヒンジ式容器用の蓋体３であって、容器本体２の縁部１３に沿って当該縁部１３に取り付けられた枠材２０、及び、枠材２０に枢動可能に接続され開口１０ａを開閉するカバー材３０を有する蓋体３と、を備え、枠材２０及びカバー材３０のうちの一方に、間隔を空けて位置する一対の板状片５０が設けられ、各板状片５０は、当該板状片５０の長手方向ｌｄに沿った両端の間となる位置で枠材２０またはカバー材３０に接続され、且つ、当該板状片５０の長手方向ｌｄに沿った一端に係止要素５１を含み、枠材２０及びカバー材３０のうちの他方に、板状片５０の係止要素５１と係合してカバー材３０を開口１０ａを覆う位置に係止する被係止体６０が設けられ、被係止体６０は、一対の板状片５０を結ぶ方向に沿って一対の板状片５０の間となる内側から、あるいは、一対の板状片５０を結ぶ方向に沿った一対の板状片５０の外側から、各板状片５０と係合する、ヒンジ式容器１用の蓋体３が提供される。
【００６１】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６２】
上述した実施の形態では、図５に示すように、枠材２０に設けられた被係止体６０が、カバー材３０に設けられた一対の板状片５０の間となる内側から、各板状片５０と係合する例を示した。しかしながら、一対の板状片５０は、枠材２０及びカバー材３０のうちの一方に設けられ、被係止体６０は、枠材２０及びカバー材３０のうちの他方に設けられ、被係止体６０が、一対の板状片５０を結ぶ方向に沿って一対の板状片５０の間となる内側から、あるいは、一対の板状片５０を結ぶ方向に沿った一対の板状片５０の外側から、各板状片５０と係合すれば、本発明の範囲に含まれる。図７に、一対の板状片５０及び被係止体６０の他の配置例の一例を示す。
【００６３】
図７に示す例では、一対の板状片５０が枠材２０に設けられ、被係止体６０がカバー材３０に設けられている。そして、被係止体６０の一対の被係止片６１は、一対の板状片５０を結ぶ方向ｃｄに沿った一対の板状片５０の外側から各板状片５０と係合している。
【００６４】
このような形態によれば、一対の板状片５０の他端５２同士を互いに離間させるように押し出すと、一対の板状片５０の係止要素５１が互いに接近するように変位して被係止体６０から離れる。これにより、カバー材３０の枠材２０への係止を解除することができる。すなわち、カバー材３０を開けて内容物を取り出すためには、一対の板状片５０の他端同士を押し出す必要があるため、小児は容易に内容物を取り出すことができない。その一方で、成人は優れた操作性で内容物を取り出すことができる。これらの結果、小児が製品を誤飲することを防止する機能を持つヒンジ式容器１が実用的な態様で実現される。
【００６５】
また、上述した実施の形態では、図２に示すように、一対の板状片５０は、一対の側縁３３、３４の対向する方向に間隔を空けて対向している例を示したが、一対の板状片５０の配置は、上述した例に限定されない。図８に、一対の板状片５０の他の配置例を示す。図８に示す例では、カバー材３０に設けられた一対の板状片５０は、基端縁３１と先端縁３２とが対向する方向に間隔を空けて対向している。
【００６６】
図９に、図８に示すヒンジ式容器１の要部を斜視図で示し、図１０に、一対の板状片５０と被係止体６０とが係合した状態を断面図で示す。図９及び図１０に示すように、枠材２０に、カバー材３０で開口１０ａを覆った状態で各々に対応する板状片５０が挿入される一対の挿入孔２７が形成されている。そして、枠材２０のうちの一対の挿入孔２７の間となる部分が、被係止体６０を画定している。すなわち、被係止体６０は、枠材２０のうちの一対の挿入孔２７の間となる板状の部分である。
【００６７】
なお、カバー材３０のうちの板状片５０の周りに、型抜孔３８とは別個に肉抜孔３７が設けられている。肉抜孔３７は、板状片５０とカバー材３０との接続範囲を調整し、板状片５０の撓みを調整する機能をもつ。
【００６８】
図１１に、カバー材３０を開く操作を示す。図１１に示すように、カバー材３０を開く際には、カバー材３０の一対の板状片５０の操作要素５２同士を互いに接近させるように摘まむ。これにより、一対の板状片５０の係止要素５１が互いから離間するように変位して被係止体６０から離れる。これにより、カバー材３０の枠材２０への係止が解除され、カバー材３０を枠材２０に対して旋回させることが可能となる。
【００６９】
以上のように、本実施の形態によれば、開口１０ａの周りを取り囲む縁部１３をもつ容器本体２と、縁部１３に沿って当該縁部１３に取り付けられた枠材２０、及び、枠材２０に枢動可能に接続され開口１０ａを開閉するカバー材３０を有する蓋体３と、を備え、枠材２０及びカバー材３０のうちの一方に、間隔を空けて位置する一対の板状片５０が設けられ、各板状片５０は、当該板状片５０の長手方向ｌｄに沿った両端の間となる位置で枠材２０またはカバー材３０に接続され、且つ、当該板状片５０の長手方向ｌｄに沿った一端に係止要素５１を含み、枠材２０及びカバー材３０のうちの他方に、板状片５０の係止要素５１と係合してカバー材３０を開口１０ａを覆う位置に係止する被係止体６０が設けられ、被係止体６０は、一対の板状片５０を結ぶ方向に沿って一対の板状片５０の間となる内側から、あるいは、一対の板状片５０を結ぶ方向に沿った一対の板状片５０の外側から、各板状片５０と係合する。
【００７０】
このような形態によれば、被係止体６０が、各板状片５０の係止要素５１に一対の板状片５０の内側から係合する場合、一対の板状片５０の他端５２同士を互いに接近させるように摘まむと、一対の板状片５０の係止要素５１が互いから離間するように変位して被係止体６０から離れる。これにより、カバー材３０の枠材２０への係止を解除することができる。すなわち、カバー材３０を開けて内容物を取り出すためには、一対の板状片５０の他端同士を摘まむ必要があるため、小児は容易に内容物を取り出すことができない。その一方で、成人は優れた操作性で内容物を取り出すことができる。これらの結果、小児が製品を誤飲することを防止する機能を持つヒンジ式容器１が実用的な態様で実現される。
【００７１】
また、本実施の形態によれば、カバー材３０は、カバー材３０が枢動可能に接続された基端縁３１と、基端縁３１に対向して位置する先端縁３２と、を有し、一対の板状片５０は、カバー材３０のうちの基端縁３１よりも先端縁３２に近接した位置に設けられ、且つ、基端縁３１と先端縁３２とが対向する方向に間隔を空けて対向している。先端縁３２は基端縁３１よりも旋回動作時の動く範囲が大きいため、一対の板状片５０が先端縁３２に近接した位置に設けられていることにより、一対の板状片５０を被係止体６０に係合させ易くなる。
【００７２】
また、本実施の形態によれば、枠材２０に、カバー材３０で開口１０ａを覆った状態で各々に対応する板状片５０が挿入される一対の挿入孔２７が形成されていて、枠材２０のうちの一対の挿入孔２７の間となる部分が、被係止体６０を画定する。このような形態によれば、被係止体６０を枠材２０と一体に構成することができるため、被係止体６０の設置スペースや材料効率の点で利点が得られる。
【００７３】
なお、図８乃至図１１に示す例では、一対の挿入孔２７が枠材２０に形成された例を示したが、このような例に限定されない。一対の板状片５０が枠材２０に設けられている場合には、一対の挿入孔は、カバー材３０に形成され、カバー材３０のうちの一対の挿入孔の間となる部分が、被係止体６０を画定してもよい。
【００７４】
≪第２の実施の形態≫
次に、図１２を参照して、第２の実施の形態について説明する。図１２は、第２の実施の形態におけるヒンジ式容器１を示す斜視図である。図１２を参照して説明する第２の実施の形態は、蓋体３がカバー材３０のみからなり、被係止体６０が容器本体２の縁部１３に形成されている点で異なるが、その他の構成は、第１の実施形態およびその変形例と同様に構成することができる。第２の実施の形態に関する以下の説明および以下の説明で用いる図面では、上述した第１の実施の形態およびその変形例と同様に構成され得る部分について、上述の第１の実施の形態およびその変形例における対応する部分に対して用いた符号と同一の符号を用いることとし、重複する説明を省略する。
【００７５】
図１２に示すヒンジ式容器１は、開口１０ａが形成された容器本体２と、容器本体２に枢動可能に接続され開口１０ａを開閉するカバー材３０からなる蓋体３と、を備える。カバー材３０からなる蓋体３は、容器本体２の縁部１３に枢着されている。
【００７６】
蓋体３に、一対の板状片５０が設けられ、容器本体２に、板状片５０と係合する被係止体６０が設けられている。被係止体６０は、一対の板状片５０を結ぶ方向に沿って一対の板状片５０の間となる内側から各板状片５０と係合する。これら板状片５０及び被係止体６０の構成は、上述した第１の実施の形態と略同様なため、ここでは詳細な説明を省略する。
【００７７】
図１２に示すヒンジ式容器１によれば、開口１０ａが形成された容器本体２と、容器本体２に枢動可能に接続され開口１０ａを開閉する蓋体３と、を備え、容器本体２及び蓋体３のうちの一方に、間隔を空けて位置する一対の板状片５０が設けられ、各板状片５０は、当該板状片５０の長手方向ｌｄに沿った両端の間となる位置で容器本体２または蓋体３に接続され、且つ、当該板状片５０の長手方向ｌｄに沿った一端に係止要素５１を含み、容器本体２及び蓋体３のうちの他方に、板状片５０の係止要素５１と係合して蓋体３を開口１０ａを覆う位置に係止する被係止体６０が設けられ、被係止体６０は、一対の板状片５０を結ぶ方向に沿って一対の板状片５０の間となる内側から、あるいは、一対の板状片５０を結ぶ方向に沿った一対の板状片５０の外側から、各板状片５０と係合する。
【００７８】
このような形態によれば、被係止体６０が、各板状片５０の係止要素５１に一対の板状片５０の内側から係合する場合、一対の板状片５０の他端５２同士を互いに接近させるように摘まむと、一対の板状片５０の係止要素５１が互いから離間するように変位して被係止体６０から離れる。これにより、カバー材３０の容器本体２への係止を解除することができる。すなわち、カバー材３０を開けて内容物を取り出すためには、一対の板状片５０の他端同士を摘まむ必要があるため、小児は容易に内容物を取り出すことができない。その一方で、成人は優れた操作性で内容物を取り出すことができる。これらの結果、小児が製品を誤飲することを防止する機能を持つヒンジ式容器１が実用的な態様で実現される。
【００７９】
なお、以上において上述した実施の形態に対するいくつかの変形例を説明してきたが、当然に、複数の変形例を適宜組み合わせて適用することも可能である。
【符号の説明】
【００８０】
１    ヒンジ式容器
２    容器本体
３    蓋体
１０ａ  開口
１３  縁部
２０  枠材
２１  基端枠
２２  先端枠
２３、２４  側枠
２６  取付爪
２７  挿入孔
２８  型抜孔
２９  凸部
３０  カバー材
３１  基端縁
３２  先端縁
３３  側縁
３５  摘まみ部分
３８  型抜孔
３９  凹部
４１  ヒンジ片
５０  板状片
５１  係止要素
５２  操作要素
５３  本体部分
６０  被係止体
６１  被係止片
６２  被係止要素
６３  延出部分
ｌｄ  板状片の長手方向
ｃｄ  一対の板状片を結ぶ方向
ＯＬ  重なる範囲
【図１】
0006478147.tif 000002
【図２】
0006478147.tif 000003
【図３】
0006478147.tif 000004
【図４】
0006478147.tif 000005
【図５】
0006478147.tif 000006
【図６】
0006478147.tif 000007
【図７】
0006478147.tif 000008
【図８】
0006478147.tif 000009
【図９】
0006478147.tif 000010
【図１０】
0006478147.tif 000011
【図１１】
0006478147.tif 000012
【図１２】
0006478147.tif 000013